(57)【要約】【課題】指示マークが効果的に利用される情報処理装置およびプレゼンテーションプログラムを提供する。【解決手段】  表示装置２および入力装置４に接続される情報処理装置１は、プレゼンテーションに用いられる資料を画像として、前記表示装置２へ表示する資料表示部６と、入力装置４から連続的に入力された一連の位置情報を指示マークとして入力し、蓄積する入力部１７と、指示マークを、少なくとも２種類の異なる表示態様のうちいずれかの表示態様で、資料とともに表示装置２へ表示する指示マーク表示部７と、入力装置４から入力される情報に基づいて、前記指示マークの表示態様を制御する表示態様制御部９を備える。【選択図】  図２
2006331119.tif 000002
【特許請求の範囲】
【請求項１】
表示装置および入力装置に接続され、プレゼンテーションに用いられる情報処理装置であって、
プレゼンテーションに用いられる資料の情報を画像として、前記表示装置へ表示する資料表示部と、
前記入力装置から入力される情報のうち、連続的に入力される一連の位置情報を指示マークとして入力する入力部と、
前記入力部で入力された指示マークを蓄積する指示マーク記憶部と、
前記指示マークの表示態様を表す表示属性が、少なくとも２種類の異なる表示態様について、予め蓄積されている表示属性記憶部と、
前記指示マーク記憶部に蓄積された前記指示マークを、前記表示属性記憶部に蓄積された表示属性が表す前記表示態様のうちいずれかの表示態様で、前記資料とともに前記表示装置へ表示する指示マーク表示部と、
前記入力装置から入力される情報に基づいて、前記指示マークの表示態様を制御する表示態様制御部を備える情報処理装置。
【請求項２】
前記表示態様は、目立つように表示する着目態様と目立たないように表示する非着目態様を含む請求項１に記載の情報処理装置。
【請求項３】
前記表示態様制御部は、前記指示マーク記憶部に蓄積された指示マークのうち、最新の指示マークを着目態様で表示する請求項２に記載の情報処理装置。
【請求項４】
前記入力部は、前記入力装置からの入力情報が、新規に入力される指示マークであるか、もしくは、すでに前記指示マーク記憶部に蓄積されている指示マークのうちのいずれかを選択するための選択情報であるかを判定して、新規に入力される指示マークであると判定した入力情報を前記指示マーク記憶部に蓄積し、
前記表示態様制御部は、前記入力部が前記入力情報を新規に入力される指示マークであると判定した場合は該新規に入力される指示マークを、前記入力部が前記入力情報を選択情報であると判定した場合は、該選択情報で選択される指示マークを、着目態様で表示する請求項２に記載の情報処理装置。
【請求項５】
前記表示態様制御部は、着目態様で表示する指示マーク以外の指示マークを非着目態様で表示する請求項３または４のいずれか１項に記載の情報処理装置。
【請求項６】
前記表示態様は、前記指示マークを目立つように表示する着目態様と、目立たないように表示する非着目態様と、見えない状態にする不可視態様を含み、
前記表示態様制御部は、前記入力装置から入力された位置情報であって、前記画像の一部を指し示す位置情報が、前記指示マーク記憶部に蓄積された指示マークのいずれかに近傍する位置を示す場合には、該対応する指示マークを着目態様で表示して残りの指示マークは不可視態様とし、前記位置情報が、前記指示マーク記憶部に蓄積された指示マークのいずれにも近傍しない位置を示す場合には、全ての指示マークを非着目態様で表示する請求項１に記載の情報処理装置。
【請求項７】
前記指示マーク記憶部は、１又は複数の前記指示マークをグループ分けして蓄積し、
前記表示態様制御部は、前記グループごとに表示態様を制御する請求項１に記載の情報処理装置。
【請求項８】
前記指示マーク記憶部に蓄積された指示マークの形状を識別して、前記形状により１または２以上のマーク種類に分類する指示マーク識別部をさらに備え、
前記表示態様制御部は、前記マーク種類ごとに表示態様を制御する請求項１に記載の情報処理装置。
【請求項９】
前記資料表示部が表示する資料のうち、前記指示マーク表示部が表示する指示マークに対応する部分の表示を、前記指示マークに応じて変更する資料変更部をさらに備える請求項１に記載の情報処理装置。
【請求項１０】
表示装置および入力装置に接続されたコンピュータに処理を実行させるプログラムであって、
プレゼンテーションに用いられる資料の情報を画像として、前記表示装置へ表示する資料表示処理と、
前記入力装置から入力される情報のうち、連続的に入力される一連の位置情報を指示マークとして入力し記憶装置へ蓄積する入力処理と、
前記記憶装置に蓄積された前記指示マークを、前記記憶装置に予め蓄積されている前記指示マークの少なくとも２種類の異なる表示態様を表す表示属性のうちいずれかの表示属性に基づいて、前記資料とともに前記表示装置へ表示する指示マーク表示処理と、
前記入力装置から入力される情報に基づいて、前記指示マークの表示態様を制御する表示態様制御処理を前記コンピュータに実行させるプログラム。
【発明の詳細な説明】
【技術分野】
【０００１】
本発明は、コンピュータによって制御される表示装置を用いたプレゼンテーションを行うための情報処理装置およびプログラムに関する。
【背景技術】
【０００２】
様々な会議における説明や研究発表などでは、説明のための資料を大画面ディスプレイやスクリーン等に表示することによる説明、いわゆるプレゼンテーションが行われる。プレゼンテーションにおいて、説明者は、スクリーンに表示された画像を指示しながら説明を行う。
【０００３】
コンピュータが広く利用され始める以前は、オーバーヘッドプロジェクタ（以下、ＯＨＰと称する）等がよく用いられていた。近年、コンピュータ上でプレゼンテーション用のプログラムを動作させ、コンピュータで生成される画像をプロジェクタで大画面に投影することが多い。
【０００４】
プレゼンテーションに際して、説明者は、聴衆の注意を引きたい箇所（着目箇所）を指示棒やレーザポインタ等で指し示して説明する。ＯＨＰを用いる場合、説明者は、資料の上にペンや棒などを載せて影を作り、着目箇所を示すことがあった。
【０００５】
説明者が、指示棒やレーザポインタを用いて着目箇所を指示する場合、指示される箇所は点で表示される上に、手のぶれにより不安定に移動する。そのため、指示棒やレーザポインタを用いて着目箇所を正確にわかりやく指示することは困難であった。また、ＯＨＰに物を置いて着目箇所に影を作る方法は、聴衆にとって着目箇所が分かりづらいという問題があった。
【０００６】
一方、コンピュータを用いたプレゼンテーションにおいては、着目箇所を分かりやすく指示することが可能である。例えば、着目箇所の指示方法として、マウスポインタを着目箇所に合わせたり、タブレットとスタイラスペンを用いて資料の上の着目箇所に手書きでマークを書き込んだりする方法が用いられる。
【０００７】
図２１（ａ）は、コンピュータを用いたプレゼンテーションを行うための機器構成の例を示す図である。図２１（ａ）に示す例においては、コンピュータ８３が、プロジェクタ８５および座標入力装置８４に接続されている。コンピュータ８３は、説明に使用される資料をプロジェクタ８５に出力する。プロジェクタ８５は、スクリーン８２に資料を表示する。説明者は、座標入力装置８４を用いて、スクリーン８２に表示される画面における座標を入力する。これにより、表示された資料中の着目箇所を指示することができる。座標入力装置８４は、タブレット８４ａとスタイラスペン８４ｂを備える。
【０００８】
図２１（ｂ）は、コンピュータ８３によって出力される画面上に書き込まれたマークが、着目箇所を示す場合の画面の例である。この例では、“説明文１”に下線が、“項目２”に丸印が書き込まれている。“説明文１”と“項目２”が、聴衆に注目して欲しい箇所として示されている。以降、このように着目箇所を示すためのマークを指示マークと呼ぶこととする。
【０００９】
図２２は、図２１（ａ）に示すコンピュータ８３の構成を示す機能ブロック図である。説明資料表示部９２は、プレゼンテーションにおいて表示される資料の情報を、画像として、プロジェクタ８５へ出力する。座標入力装置８４で連続して入力された座標値が、指示マークを表す指示マーク情報として、指示マーク記憶部９４に蓄積される。指示マーク表示部９３は、指示マーク記憶部９４に蓄積された指示マーク情報を、プロジェクタ８５にて表示される説明資料に重畳して表示する。
【００１０】
上記のコンピュータ８３によるプレゼンテーションにおいて、表示画面上に指示マークが複数表示されると、聴衆は、現在の着目箇所を判別しづらくなるという問題がある。すなわち、説明が進むにつれて画面上に表示される指示マークの数が増えてくる。その結果、聴衆は、現在どの指示マークの箇所に注目すれば良いかが分かりづらくなる。さらに数が増えれば説明資料の上に多くの指示マークが表示され、説明資料の視認性をも阻害する。
【００１１】
このような問題を解決するためのプレゼンテーション装置が提案されている（例えば、特許文献１参照）。この従来のプレゼンテーション装置においては、新たな指示マークが入力されると、それまでに入力された指示マークが消去され、最後に入力された指示マークのみが表示される。そのため、指示マークは常に一つしか表示されず、聴衆が注目すべき箇所に迷うことが少なくなる。
【特許文献１】特開平６−１７５７７６号公報
【発明の開示】
【発明が解決しようとする課題】
【００１２】
しかしながら、上記従来のプレゼンテーション装置では、最新の指示マーク以外の指示マークが自動的に削除されるために問題が生じることがある。例えば、資料が順に指し示されて着目箇所が最新の一つしかない場合は問題が無い。しかし、説明者が説明する箇所が前後したり、複数の箇所を同時に指し示して説明したりする場合、過去に入力した複数の指示マークの表示が残らないでので、説明者は、指示マークを効果的に利用することができない。
【００１３】
一例として、図２１（ｂ）の画面に示すように、“説明文１”および“項目２”に書き込まれた２つの指示マークが表示されていれば、それぞれを関連付けた説明がしやすくなる。しかし、最新の指示マーク以外は表示されない態様だと、そのような説明は難しい。
【００１４】
このように、従来のプレゼンテーション装置においては、プレゼンテーションにおいて、指示マークが効果的に利用されない場合が多いという課題があった。
【００１５】
上記課題を解決するために、本発明は、指示マークが効果的に利用されるプレゼンテーションを可能にする情報処理装置およびプログラムを提供することを目的とする。
【課題を解決するための手段】
【００１６】
本発明にかかるプレゼンテーション装置は、表示装置および入力装置に接続され、プレゼンテーションに用いられる情報処理装置であって、プレゼンテーションに用いられる資料の情報を画像として、前記表示装置へ表示する資料表示部と、前記入力装置から入力される情報のうち、連続的に入力される一連の位置情報を指示マークとして入力する入力部と、前記入力部で入力された指示マークを蓄積する指示マーク記憶部と、前記指示マークの表示態様を表す表示属性が、少なくとも２種類の異なる表示態様について、予め蓄積されている表示属性記憶部と、前記指示マーク記憶部に蓄積された前記指示マークを、前記表示属性記憶部に蓄積された表示属性が表す前記表示態様のうちいずれかの表示態様で、前記資料とともに前記表示装置へ表示する指示マーク表示部と、前記入力装置から入力される情報に基づいて、前記指示マークの表示態様を制御する表示態様制御部を備える。
【００１７】
本発明にかかるプログラムは、表示装置および入力装置に接続されたコンピュータに処理を実行させるプログラムであって、プレゼンテーションに用いられる資料の情報を画像として、前記表示装置へ表示する資料表示処理と、前記入力装置から入力される情報のうち、連続的に入力される一連の位置情報を指示マークとして入力し記憶装置へ蓄積する入力処理と、前記記憶装置に蓄積された前記指示マークを、前記記憶装置に予め蓄積されている前記指示マークの少なくとも２種類の異なる表示態様を表す表示属性のうちいずれかの表示属性に基づいて、前記資料とともに前記表示装置へ表示する指示マーク表示処理と、前記入力装置から入力される情報に基づいて、前記指示マークの表示態様を制御する表示態様制御処理を前記コンピュータに実行させる。
【発明の効果】
【００１８】
本発明によれば、指示マークが効果的に利用されるプレゼンテーションを可能にする情報処理装置およびプログラムを提供することができる。
【発明を実施するための最良の形態】
【００１９】
本発明にかかる情報処理装置は、表示装置および入力装置に接続され、プレゼンテーションに用いられる情報処理装置であって、プレゼンテーションに用いられる資料の情報を画像として、前記表示装置へ表示する資料表示部と、前記入力装置から入力される情報のうち、連続的に入力される一連の位置情報を指示マークとして入力する入力部と、前記入力部で入力された指示マークを蓄積する指示マーク記憶部と、前記指示マークの表示態様を表す表示属性が、少なくとも２種類の異なる表示態様について、予め蓄積されている表示属性記憶部と、前記指示マーク記憶部に蓄積された前記指示マークを、前記表示属性記憶部に蓄積された表示属性が表す前記表示態様のうちいずれかの表示態様で、前記資料とともに前記表示装置へ表示する指示マーク表示部と、前記入力装置から入力される情報に基づいて、前記指示マークの表示態様を制御する表示態様制御部を備える。
【００２０】
本発明にかかる情報処理装置では、前記表示属性記憶部が、少なくとも２種類の異なる表示態様の各表示対応の表示属性を蓄積した制御情報を予め蓄積しておくので、前記入力部で入力される指示マークが、２種類以上の異なる表示態様のうちいずれかの表示態様で表示される。表示態様は、前記入力装置から入力される情報に基づいて表示態様制御部によって制御されるので、説明者は、前記入力装置で位置情報または制御情報を入力することにより、指示マークの表示態様を指示することができる。すなわち、説明者は、説明の都合に合わせて、指示マークの表示態様を制御することができる。その結果、説明者が、情報処理装置による表示画像において、指示マークを有効に利用して説明を行うことができる。
【００２１】
本発明にかかる情報処理装置において、前記表示態様は、目立つように表示する着目態様と目立たないように表示する非着目態様を含むことが好ましい。これにより、表示態様制御部は、例えば、過去に入力された指示マークを表示したままで、説明者が現在注目して欲しい指示マークだけを着目態様で表示して目立たせ、それ以外の指示マークが目立たないように非着目態様で表示させることができる。
【００２２】
本発明にかかる情報処理装置において、前記表示態様制御部は、前記指示マーク記憶部に蓄積された指示マークのうち、最新の指示マークを着目態様で表示することが好ましい。
【００２３】
指示マークが新たに入力された直後は、その新たに入力された指示マークが着目箇所を示している場合が多い。そのため、表示態様制御部が、最新の指示マークを着目態様で表示することで、説明者が指示マークを入力するたびに、入力した指示マークを着目態様にする命令を前記入力装置で入力する手間を省くことができる。
【００２４】
本発明にかかる情報処理装置において、前記入力部は、前記入力装置からの入力情報が、新規に入力される指示マークであるか、またはすでに前記指示マーク記憶部に蓄積されている指示マークのうちいずれかを選択するための選択情報であるかを判定し、新規に入力される指示マークであると判定した情報を前記指示マーク記憶部に蓄積し、前記表示態様制御部は、前記入力部が前記入力情報を新規指示マークであると判定した場合は該新規指示マークを、前記入力部が前記入力情報を選択情報であると判定した場合は、該選択情報で選択される指示マークを着目態様で表示することが好ましい。これにより、説明者が、過去に入力した指示マークの位置を前記入力装置で選択した場合には、選択した指示マークが着目態様で前記表示装置に表示される。また、説明者が、指示マークを新規入力した場合も、着目態様で前記表示装置に表示される。
【００２５】
本発明にかかる情報処理装置において、前記表示態様制御部は、着目態様で表示する指示マーク以外の指示マークを非着目態様で表示するが好ましい。前記表示態様制御部は、前記指示マーク記憶部に蓄積された指示マークのうち、新たに着目態様で表示される指示マークを除いた残りの指示マークを非着目態様で表示する。これにより、説明者は、説明中の指示マークへの注目を引きつつ、同時に過去に説明した箇所を非着目態様の指示マークによって示すことができる。
【００２６】
本発明にかかる情報処理装置において、前記表示態様は、前記指示マークを見えない状態にする不可視態様を含むことが好ましい。前記表示態様は不可視態様を含むので、前記表示態様制御部は、複数の指示マークが入力される場合、少なくともその一部を見えない状態にすることができる。これにより、例えば、前記内容情報の画像上に多くの筆跡が表示されることにより、前記内容情報の視認性を阻害することを防ぐことができる。
【００２７】
本発明にかかる情報処理装置において、前記表示態様は、前記指示マークを目立つように表示する着目態様と、目立たないように表示する非着目態様と、見えない状態にする不可視態様を含み、前記表示態様制御部は、前記入力装置から入力された位置情報であって、前記画像の一部を指し示す位置情報が、前記指示マーク記憶部に蓄積された指示マークのいずれかに近傍する位置を示す場合には、該対応する指示マークを着目態様で表示して残りの指示マークは不可視態様とし、前記位置情報が、前記指示マーク記憶部に蓄積された指示マークのいずれにも近傍しない位置を示す場合には、全ての指示マークを非着目態様で表示することが好ましい。
【００２８】
このように、前記表示態様制御部が、筆跡マーカの表示態様を制御することにより、前記表示装置の表示は、着目態様の指示マークのみが表示される状態、または非着目態様の指示マークのみが表示される状態のいずれかの状態をとることになる。そのため、前記表示装置の表示において着目箇所が明確となる。
【００２９】
本発明にかかる情報処理装置において、前記指示マーク記憶部は、１又は複数の前記指示マークをグループ分けして蓄積し、前記表示態様制御部は、前記グループごとに表示態様を制御することが好ましい。これにより、複数の指示マークがまとまって１つの着目箇所を示すように表示することができる。
【００３０】
本発明にかかる情報処理装置は、前記指示マーク記憶部に蓄積された指示マークの形状を識別して、前記形状により１または２以上のマーク種類に分類する指示マーク識別部をさらに備え、前記表示態様制御部は、前記マーク種類ごとに表示態様を制御することが好ましい。
【００３１】
前記表示態様制御部は、指示マークの形状によって分類されたマーク種類ごとに表示態様を制御するので、例えば、同じマーク種類の指示マークを、同じ表示態様で表示することができる。これにより、説明者は、同じ形状の指示マークで示される複数の注目箇所を関連付けて説明することができる。
【００３２】
本発明にかかる情報処理装置は、前記資料表示部が表示する資料のうち、前記指示マーク表示部が表示する指示マークに対応する部分の表示を、前記指示マークに応じて変更する資料変更部をさらに備えることが好ましい。これにより、前記指示マークが示す着目箇所が明確に表示される。
【００３３】
本発明にかかるプレゼンテーションプログラムは、をコンピュータに実行させる。
【００３４】
以下、図面を参照しながら、本発明の実施の形態を詳細に説明する。
（実施の形態１）
図１（ａ）および図１（ｂ）は、本実施の形態における情報処理装置が使用される際の機器構成の例を示す図である。本実施の形態における情報処理装置は、いわゆるプレゼンテーションに用いられる。プレゼンテーションとは、聴衆に資料を示して説明することである。プレゼンテーションは、ビジネス上の提案または発表に限られず、例えば、研究発表、講義、演説、演劇等、資料を示しながらの説明全てを含むものとする。
【００３５】
図１（ａ）に示す例では、情報処理装置１は、プロジェクタ２とタブレット装置４に接続されている。情報処理装置１はコンピュータによって実現される。このコンピュータが、プロジェクタ２を制御することによって、スクリーン３に画像を表示する。タブレット装置４は、タブレット４ａとスタイラスペン４ｂを備える。説明者は、タブレット４ａの上で、スタイラスペン４ｂを操作することにより、情報処理装置１へ位置情報を入力する。
【００３６】
図１（ｂ）に示す例では、情報処理装置１は、大画面ディスプレイ２４に接続されている。大画面ディスプレイ２４は、例えば、ＣＲＴ、ＰＤＰ、ＬＣＤ、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）等の表示装置が用いられる。大画面ディスプレイ２４の表示は、情報処理装置１によって制御される。また、大画面ディスプレイ２４は、位置情報を入力する機能も備えている。すなわち、大画面ディスプレイ２４の表示画面の上にタブレット装置が重ねて配置されている。大画面ディスプレイ２４は、表示一体型タブレットであると考えることもできる。説明者は、スタイラスペン４ｂを大画面ディスプレイ２４の表示画面上で操作することによって、画像上の位置情報を情報処理装置１へ入力することができる。
【００３７】
なお、図１（ｂ）に示す構成においても、さらに、図１（ａ）に示すようなタブレット装置４を、情報処理装置１に接続する構成とすることができる。また、図１（ａ）および（ｂ）においては、位置情報を入力する手段として、スタイラスペン４ｂを用いる場合を例示したが、位置情報を入力する手段はこれに限られない。例えば、マウス等のポインティングデバイス、またはキーボード等の入力デバイスを用いて位置情報を入力することもできる。
【００３８】
以上のように、情報処理装置１に接続される表示装置および入力装置には、様々なデバイスを用いることができる。それらの様々なデバイスのうち、表示装置にプロジェクタ２を、入力装置にタブレット装置４を用いる場合の形態を主として、以下、説明する。
【００３９】
図２は、情報処理装置１の内部構成を表す機能ブロック図である。図２に示すように、情報処理装置１は、入力部１７、資料表示部６、指示マーク表示部７、指示マーク記憶部８、表示態様制御部９、資料記憶部１１および表示属性記憶部１２を備える。情報処理装置１は、表示装置であるプロジェクタ２、および入力装置であるタブレット装置４に接続されている。
【００４０】
資料表示部６は、資料記憶部１１に記憶されている資料を、プロジェクタ２へ出力する。プロジェクタ２は、スクリーン３（図１（ａ）参照）に、資料を画像として表示する。資料表示部６として、市販のプレゼンテーション用プログラムを用いることができる。また、資料が、例えば、テキストファイル、静止画像ファイルまたは動画像ファイル等で資料記憶部１１に記憶されていれば、それらのファイルを表示するプログラムを資料表示部６として使用することができる。
【００４１】
タブレット装置４で、連続的に入力された一連の位置情報は、入力部１７によって指示マークと認識される。指示マーク記憶部８は、指示マークに関する指示マーク情報を記憶する。図５（ａ）は、タブレット装置４で指示マークが入力された直後の画面の例を示す図である。図５（ａ）に示すように、スタイラスペン４ｂがタブレット４ａ上で描く軌跡が、指示マークｇ１として入力される。入力部１７は、例えば、スタイラスペン４ｂに設けられている先端ボタンが押された状態でスタイラスペン４ｂによって描かれた軌跡が指示マーカであると判断してもよい。入力部１７で入力された指示マークｇ１に関する指示マーク情報は、指示マーク記憶部８に記憶される。
【００４２】
図３は、指示マーク記憶部８に記憶される指示マーク情報のデータ構造の例を示す図である。指示マーク記憶部８には、複数の指示マーク（ｇ１、ｇ２、ｇ３・・・）に関する指示マーク情報が、入力順に記憶される。
【００４３】
指示マーク情報は、図３に示す例では、マーク状態、座標値の数、座標値を含む。この例では、指示マークは複数の座標値で表される。座標値には、二次元座標点を示すＸ座標ｘとＹ座標ｙに加え、各座標値が表す点の状態を示す値ｓが含まれる。この状態を示す値ｓは、座標（ｘ、ｙ）における点が一連の入力座標列の始点、終点または中間点のいずれの状態であるかを示す値である。例えば、指示マークがスタイラスペン４ｂによる筆跡である場合は、筆跡を表す各座標における状態ｓには筆画の始点・終点・中間点のいずれかの状態が記されることになる。複数の座標値は、例えば、配列等の形で蓄積される。なお、指示マーク情報は、図３に示す例に限られない。例えば、図３に示すように、指示マークを点の羅列で表現するかわりに、ベクトル形式で表現してもよい。
【００４４】
マーク状態は、例えば、その指示マークが選択されているか否かを示す情報である。この場合、マーク状態は、選択状態か非選択状態のいずれかである。指示マークが選択状態か非選択状態かによって、その指示マークの表示態様が異なることになる。表示属性記憶部１２（図２参照）は、マーク状態ごとの指示マークの表示態様を表す表示属性を記憶している。
【００４５】
図４は、表示属性記憶部１２に記憶される表示属性のデータ構造の例を概念的に示す図である。図４に示す例では、選択状態および非選択状態のそれぞれに対応して、表示属性が記憶されている。このように、各マーク状態に対応して、表示属性が記憶されることで、指示マークのマーク状態から表示属性が一意に決定される。ここでは、選択状態の表示属性として、指示マークが目立つような表示態様（着目態様）となるような太さ、色、線種、輝度、点滅等が設定されている。これに比較して、非選択状態の表示属性は、指示マークが目立たないような表示態様（非着目態様）となるように、太さ、色、線種、輝度、点滅等が設定されている。
【００４６】
表示属性として、太さ、色、線種の他に、例えば、高輝度表示、点滅表示や、色が動的に変化する態様等を、加えることもできる。例えば、指示マークの着目態様として、指示マークを点滅して表示する態様、指示マークの色が動的に変化する態様等、様々な形での態様が考えられる。一方で、指示マークの非着目態様として、例えば、点滅しないように表示する態様、色を薄くして目立たなく表示する態様等が考えられる。
【００４７】
なお、本実施の形態においては、図３に示す指示マーク情報と図４に示す表示属性がそれぞれ独立して記憶される例を示したが、データ構造はこれに限られない。例えば、各指示マーク情報に表示属性を対応づけて記憶するという実装方法もある。
【００４８】
指示マーク表示部７（図２参照）は、指示マーク記憶部８よりそれぞれの指示マークを表す座標値を取得し、指示マークをプロジェクタ２が写す画面上へ描画する。描画する指示マークの表示属性は、その指示マークのマーク状態を基に、表示属性記憶部１２を参照して決定される。例えば、指示マーク表示部７は、描画する指示マークのマーク状態が選択状態である場合、図４に示す表示属性に従って、太さ３の黒い実線で指示マークを描画する。
【００４９】
表示態様制御部９（図２参照）は、指示マーク記憶部８に記憶された指示マーク情報のマーク状態を制御することによって、指示マークの表示態様を制御する。表示態様制御部９は、一括状態更新部２１、特定マーク状態更新部２２、最新マーク状態更新部２３を備える。
【００５０】
一括状態更新部２１は、指示マーク記憶部８に記憶された複数の指示マーク情報のマーク状態を一括して更新する。例えば、一括状態更新部２１は、全ての指示マーク情報のマーク状態を非選択状態に更新する。
【００５１】
特定マーク状態更新部２２は指示マーク記憶部８に記憶された指示マーク情報のうち、特定の指示マーク情報のマーク状態を更新する。本実施の形態において、特定マーク状態更新部２２は、タブレット装置４からの入力情報に基づいて特定される指示マーク情報のマーク状態を更新する。例えば、特定マーク状態更新部２２は、タブレット装置４から入力された位置情報に対応する位置にある指示マーク情報のマーク状態を選択状態にする。
【００５２】
最新マーク状態更新部２３は、タブレット装置４から入力されて、指示マーク記憶部８に記憶された指示マーク情報のうち、最新の指示マーク情報のマーク状態を更新する。
【００５３】
情報処理装置１は、例えば、パーソナルコンピュータ、ワークステーション、サーバ等のコンピュータに、所定のプログラムをインストールすることで構築することができる。資料表示部６、指示マーク表示部７および表示態様制御部９の機能は、コンピュータのＣＰＵが所定のプログラムを実行することによって実現される。資料記憶部１１、表示属性記憶部１２、指示マーク記憶部８には、コンピュータに内蔵されているハードディスク、ＲＡＭ等の記憶媒体の他、フレキシブルディスク、メモリカード等の可搬型記憶媒体や、ネットワーク上にある記憶装置内の記憶媒体等を用いることができる。
【００５４】
また、資料表示部６、指示マーク表示部７および表示態様制御部９が行う処理をコンピュータに実行させるプログラムを、例えば、ＣＤ−ＲＯＭ等の記憶媒体から、あるいは通信回線を介したダウンロード等により、任意のコンピュータへインストールすることができる。これにより、情報処理装置１を構築することができる。
【００５５】
なお、情報処理装置１に接続される入力装置として、タブレット装置４に加えて、マウス、キーボード等の入力装置を追加することができる。
【００５６】
次に、情報処理装置１の動作の例について説明する。
【００５７】
図６は、プレゼンテーションにおいて、情報処理装置１が行う処理の流れを示すフローチャートである。
【００５８】
まず、資料表示部６が資料記憶部１１から資料を読み出して、プロジェクタ２へ出力することによって、プレゼンテーションに用いられる資料を表示する（ステップＳ１）。資料表示部６が資料を表示する場合、その目的に応じた表示モードが選択されることが好ましい。表示モードには、例えば、説明者が説明するため資料を表示する説明モードによる表示や、資料を編集するために表示する編集モードによる表示等がある。本実施形態のように、プレゼンテーションで資料が表示される場合は、説明モードで表示されることが好ましい。説明者は、表示された資料を使って、聴衆に対して説明を行う。
【００５９】
説明者は、説明の際に、タブレット装置４で、聴衆に注目させたい箇所に指示マークを入力することがある。タブレット装置４は、このような説明者からの指示マークの入力を受け付ける（ステップＳ２）。タブレット装置４で指示マークが入力された場合（ステップＳ２でＹＥＳの場合）、情報処理装置１は、新規指示マーク入力処理（ステップＳ３）を行う。新規指示マーク入力処理によって、新しく入力された指示マークが目立つように強調表示される。新規指示マーク入力処理の詳細は後述する。
【００６０】
また、説明者は、例えば、すでに入力した指示マークのうち聴衆に注目してほしい箇所を指示する場合等に、タブレット装置４で、表示画面上の注目してほしい指示マークを選択することもある。タブレット装置４は、説明者から指示マーク選択を受け付ける（ステップＳ４）。
【００６１】
タブレット装置４は、例えば、タブレット４ａにスタイラスペン４ｂが近寄った際に、スタイラスペン４ｂがタブレット４ａに接触しなくても、スタイラスペン４ｂの位置情報を取得できる近接感知機能を備えることができる。この近接感知機能を備えるタブレット装置４においては、例えば、指示マークにスタイラスペン４ｂを所定時間以上、所定範囲内に近づけることによって、指示マークを選択することができる。選択された位置の情報は、例えば、座標で表される。
【００６２】
タブレット装置４で指示マークが選択された場合（ステップＳ４でＹＥＳの場合）、情報処理装置１は、指示マーク選択処理（ステップＳ５）を行う。指示マーク選択処理によって、選択された指示マークが目立つように強調表示される。指示マーク選択処理の詳細は後述する。
【００６３】
タブレット装置４は、表示される資料を更新するための情報の入力も受け付ける。タブレット装置４から資料を更新するための情報が入力されると、資料表示部６が、資料記憶部１１から新たに資料を読み出して表示する。
【００６４】
タブレット装置４が、プレゼンテーションを終了する旨の入力を受けた場合（ステップＳ７でＹＥＳの場合）は、情報処理装置１は、資料の表示を終了する。資料の表示が終了するまで、指示マーク入力の受け付け（ステップＳ２）、指示マーク選択の受け付け（ステップＳ４）および資料更新情報の受け付け（ステップＳ６）が随時行われる。
【００６５】
次に、新規指示マーク入力処理（ステップＳ３）および、指示マーク選択処理（ステップＳ５）の処理の詳細を説明する。
【００６６】
図７（ａ）は、新規指示マーク入力処理の例を示すフローチャートである。説明者が、例えば、スタイラスペン４ｂをタブレット４ａ上で操作することにより、連続的に入力された一連の位置情報は、入力部１７において、指示マークとして認識される。
【００６７】
ここで、入力部１７が、タブレット装置４で入力された位置情報が指示マーカであるか否かを判定する方法の例を説明する。資料が説明モードで表示されている場合に、タブレット装置４より位置情報が入力された際、スタイラスペン４ｂの先端のボタンが押されていれば入力された位置情報は指示マークの入力であると判定される。先端のボタンが押されずに位置情報が入力された場合、すでに画面上に表示されている指示マークを選択する入力と判定する。なお、入力部１７は、スタイラスペン４ｂの先端のボタンが押されている場合でも、サイドボタンが同時に押されている場合には指示マークの入力とはみなさないようにしてもよい。
【００６８】
なお、指示マークは、手書きで入力されたものに限らず、例えば、直線、四角形等の描画ツールで作成された図形を指示マークとしてもよい。
【００６９】
タブレット装置４において、新たな指示マークが入力されると、（ステップＳ３１）、指示マーク記憶部８が、新たに入力された指示マークに関する指示マーク情報を記憶する（ステップＳ３２）。
【００７０】
ここで、指示マーク表示部７は、入力途中の指示マークを、入力された部分から順次表示してもよい。入力中の指示マークは、選択状態の表示態様で表示されても非選択状態の表示態様で表示されてもよい。
【００７１】
一括状態更新部２１は、指示マーク記憶部８に記憶されている指示マーク情報のうち、画面に表示されている全ての指示マークのマーク状態を非選択状態に更新する（ステップＳ３３）。最新マーク状態更新部２３は、新たに入力された指示マーク、すなわち最新の指示マークのマーク状態を選択状態に更新する（ステップＳ３４）。これにより、画面に表示されている指示マークの指示マーク情報のうち、最新の指示マーク情報のマーク状態のみが選択状態となり、その他の指示マーク情報のマーク状態は非選択状態となる。
【００７２】
指示マーク表示部７は、指示マーク記憶部８に記憶されている指示マーク情報を、プロジェクタ２が写す画面上に表示する（ステップＳ３５）。このとき表示されるそれぞれの指示マークの表示属性は、ぞれぞれの指示マーク情報のマーク状態によって決定されるので、最新の指示マークだけが他の指示マークとは異なる態様で表示される。
【００７３】
新たな指示マークが入力された際の指示マーク表示（ステップＳ３５）による画面表示は、例えば、図５（ａ）のようになる。図５（ａ）に示す例では、最新の指示マークｇ１が目立つように太い線（着目態様）で表示されており、それ以外の指示マークは、目立たないように点線（非着目態様）で表示されている。
【００７４】
なお、図７（ａ）に示す処理においては、新規指示マークが入力された後で、全ての指示マークを非選択状態にし、その後で、最新の指示マークを選択状態にする処理の例を示したが、新規指示マーク入力処理はこれに限られない。例えば、タブレット装置４からの入力を、入力部１７が新規の指示マークの入力であると判定した時点で、表示態様制御部９は既存の指示マークを非選択状態にし、入力中の指示マークは、選択状態で記憶されると同時に指示マーク表示部７によって表示される処理であってもよい。
【００７５】
図７（ｂ）は、指示マーク選択処理の例を示すフローチャートである。指示マーク選択処理は、タブレット装置４で、説明者が、画面上の指示マークを選択した場合に行われる。例えば、説明者が、スタイラスペン４ｂを用いて選択したい指示マークを指し示すことによって、指示マークが選択される。入力部１７は、例えば、スタイラスペン４ｂが、先端のボタンが押されていない状態で、指示マークを指し示した場合に、指示マークが選択されたと判定してもよい。
【００７６】
入力部１７は、スタイラスペン４ｂで指し示された位置に対応する指示マーク情報を指示マーク記憶部８より抽出する。これにより、入力部１７は、選択された指示マークを特定することができる。例えば、指し示された位置の座標から所定半径の円内に指示マークの一部が存在するような指示マーク情報が抽出される。
【００７７】
指示マークが選択された場合、一括状態更新部２１は、指示マーク記憶部８に記憶されている指示マーク情報のうち、画面に表示されている全ての指示マークのマーク状態を非選択状態に更新する（ステップS５１）。特定マーク状態更新部２２は、選択された指示マークのマーク状態を選択状態に更新する（ステップＳ５２）。これにより、画面に表示されている指示マークの指示マーク情報のうち、選択された指示マーク情報のマーク状態のみが選択状態となり、その他の指示マーク情報のマーク状態は非選択状態となる。
【００７８】
指示マーク表示部７は、指示マーク記憶部８に記憶されている指示マーク情報を、プロジェクタ２が写す画面上に表示する（ステップＳ５３）。このとき、選択された指示マークだけが他の指示マークとは異なる態様で表示される。
【００７９】
指示マーク表示（ステップＳ５３）による画面表示は、例えば、図５（ｂ）のようになる。図５（ｂ）に示す例では、選択された指示マークｇ２が目立つように太い線（着目態様）で表示されており、それ以外の指示マークｇ１は、目立たないように点線（非着目態様）で表示されている。すなわち、説明者が、スタイラスペン４ｂを聴衆に注目させたい指示マークに近づけると、図７（ｂ）に示す位置選択処理によって、その指示マークが太い線で表示される。
【００８０】
以上、指示マークが選択された場合の処理について説明を行った。これと類似の処理として、スタイラスペン４ｂ等により指し示された位置が、いずれの指示マークからも離れている場合、一括状態更新部２１が、全ての指示マーク情報のマーク状態を非選択状態にする処理を行ってもよい。これにより、例えば、説明者が、指示マークの着目表示を解除したい場合に、指示マーク以外の箇所を指し示すことにより、全ての指示マークを目立たない表示にすることができる。
【００８１】
図５（ｃ）は、全ての指示マークが非着目態様で表示される場合の画面の例を示す図である。図５（ｃ）に示すように、例えば、説明者がスタイラスペン４ｂをいずれの指示マークからも離れている位置に移動させた場合、一括状態更新部２１が、全ての指示マーク情報のマーク状態を非選択状態にする。指示マーク表示部７は、全ての指示マークを非選択状態として表示する。その結果、それまで選択状態であった指示マークも含めて全ての指示マークが非選択状態にされ、点線で目立たないように表示される。
【００８２】
また、スタイラスペン４ｂが指示マークの位置から離れた直後はそのままの表示だが、一定時間が経過すると非着目態様で表示することもできる。この場合、特定マーク状態更新部２２は、スタイラスペン４ｂの位置が、選択状態の指示マークから離れてから一定時間が経過するまでに、別の指示マークを選択する操作が成されなければ、前記選択状態の指示マークを、非選択状態に更新する。
【００８３】
図８（ａ）、（ｂ）、（ｃ）、（ｄ）は、図６、７に示す情報処理装置１の動作により実現する画面表示の一例を示す図である。これらの画面表示は、図８（ａ）、（ｂ）、（ｃ）、（ｄ）の順番で遷移する。
【００８４】
まず、図８（ａ）に示すように、“説明文１”の位置に指示マークｈ１が記入され、指示マーク記憶部８に記憶される。入力直後の指示マークｈ１のマーク状態は選択状態で記憶される。指示マーク表示部７は、黒く太い実線で指示マークｈ１を表示する。
【００８５】
次に、図８（ｂ）に示すように、“項目２”の位置にサークルの指示マークｈ２が記入される。その際、先に入力されている指示マークｈ１のマーク状態は、一括状態更新部２１によって非選択状態にセットされる。新しく記入された指示マークｈ２が、最新マーク状態更新部２３によって選択状態にセットされる。その結果、指示マーク表示部７は、指示マークｈ１を淡いグレーの細い点線、指示マークｈ２を黒く太い実線で表示する。
【００８６】
図８（ｃ）に示すように、指示マークｈ３が順に“説明文２”の位置に記入され、指示マークｈ４が “説明文３”の位置に記入される。図８（ｄ）に示すように、４つの指示マークｈ１、ｈ２、ｈ３、ｈ４が入力された後で、指示マークｈ２の上にスタイラスペン４ｂが移動する。これにより、まず、全ての指示マークｈ１、ｈ２、ｈ３、ｈ４のマーク状態が、一括状態更新部２１によって非選択状態に更新された後、指示マークｈ２のマーク状態が、特定マーク状態更新部２２によって選択状態にされる。その結果、指示マークｈ２のみが、黒く太い実線すなわち着目態様で表示される。
【００８７】
なお、タブレット装置４のかわりにマウスを用いた場合は、説明者は、例えば、マウスのボタンを押さずにマウスを動かし、マウスポインタを選択したい指示マークに移動させることによって、指示マークを選択することができる。
【００８８】
以下、本実施の形態の変形例について説明する。
【００８９】
[変形例１]
上記実施の形態では、画面上の指示マークを選択することによって、強調させたい指示マークを選択する例を示した。強調させたい指示マークを選択する方法は、上記のように画面上の指示マークを指し示す方法に限られない。例えば、画面上に設けられた各指示マークに対応したボタンを選択することで、強調表示する指示マークを選択する方法も考えられる。
【００９０】
図９（ａ）、（ｂ）は、画面に表示されたボタンを選択することにより指示マークが選択される場合における画面表示の例を示す。図９（ａ）に示す画面には、４つの指示マークｊ１、ｊ２、ｊ３、ｊ４が表示されている。それぞれの指示マークｊ１、ｊ２、ｊ３、ｊ４に対応した４つのボタンＢｊ１、Ｂｊ２，Ｂｊ３、Ｂｊ４が画面下部に設けられている。
【００９１】
説明者は、選択したい指示マークに対応するボタンを選択することにより、指示マークを選択することができる。説明者は、例えば、図９（ａ）に示すように、指示マークｊ２を着目態様で表示したい場合には、ボタンＢｊ２を選択する。また、図９（ｂ）に示すように、ボタンＢｊ４が選択されると、指示マークｊ４が着目態様で表示される。
【００９２】
なお、指示マークを選択するためのボタンは、聴衆に見せる画面（スクリーン３）には表示されずに、タブレット装置４の画面にのみ表示される形態としてもよい。また、ボタンの替わりに、例えば、アイコン、文字列等を用いることもできる。
【００９３】
このように、画面に表示されたボタンを選択する方法では、位置情報の入力にタブレット装置やマウス等のポインティングデバイスを用いずに、キーボードで指示マークを選択することが可能である。また、プレゼンテーション中に、説明者が視線を変えずに容易に指示マークの選択ができるという利点もある。この方法は、図８に示すような位置情報入力による選択方法と併用することもできる。
【００９４】
[変形例２]
位置情報を入力することによって、指示マークを選択する場合に、一回の操作で選択される指示マークは、１つに限定されない。例えば、説明者がスタイラスペン４ｂのサイドスイッチを押しながら指示マークをスタイラスペン４ｂで押した場合にその指示マークが選択されるようにし、更に、一定時間内に他の指示マークが連続して選択された場合は、連続して選択された指示マークが全て選択状態になるようにする態様とすることができる。
【００９５】
一例として、ある指示マークを選択した後、１秒以内に他の指示マークを選択すれば複数の指示マークが選択される仕組みにすることができる。さらに、ある指示マークが選択された後、次の指示マークが選択されるまで、１秒以上経過していた場合には、最後に選択された指示マークだけが選択状態となる仕組みにしてもよい。
【００９６】
[変形例３]
上記実施の形態では、指示マーク記憶部８に記憶される指示マーク情報のマーク状態（図３参照）が、選択状態と非選択状態の２種類である場合を説明した。マーク状態の種類は、３種類以上であってもよい。本変形例では、マーク状態が、選択状態、非選択状態および不可視状態の３種類である場合について説明する。
【００９７】
図１０は、表示属性記憶部１２に記憶される表示属性のデータ構造の例を示す図である。図１０に示す例では、選択状態、非選択状態に不可視状態を加えた３種類のマーク状態それぞれに対応して、表示属性が記憶されている。不可視状態の表示属性は、色が透明に設定されている。そのため、不可視状態の表示属性で表示された指示マークは、見えない状態、すなわち不可視態様で表示される。このように、表示態様が３種類あるので、例えば、画面に表示されている指示マークのうち、１つの指示マークを選択状態、残りを不可視状態にして、１つの指示マークのみを着目態様で表示することができる。
【００９８】
図１１（ａ）、（ｂ）、（ｃ）、（ｄ）は、マーク状態が、選択状態、非選択状態および不可視状態の３種類である場合の画面表示の一例を示す図である。図１１に示す画面表示は、（ａ）、（ｂ）、（ｃ）、（ｄ）の順番で遷移する。
【００９９】
図１１（ａ）は、指示マークｋ１が、“説明文１”に入力された直後の表示を示す図である。指示マークｋ１だけが、黒く太い実線すなわち着目態様で表示される。図１１（ｂ）は、指示マークｋ２が、“説明文３”に入力された直後の表示を示す図である。指示マークｋ２が入力されると、一括状態更新部２１により、全ての指示マーク情報のマーク状態が不可視状態に更新された後、最新マーク状態更新部２３により最新の指示マークｋ２のマーク状態が選択状態に更新される。その結果、指示マーク表示部７は、指示マークｋ２だけを、黒く太い実線すなわち着目態様で表示し、その他の指示マークを透明で表示する。したがって、ｋ１は見えなくなる。図１１（ｃ）は、指示マークｋ３が、“項目２”に入力された直後の表示を示す図である。同様に、指示マークｋ３だけが、黒く太い実線すなわち着目態様で表示される。
【０１００】
図１１（ｄ）は、スタイラスペン４ｂが、いずれの指示マークの位置からも離れた位置に移動した場合の表示を示す図である。スタイラスペン４ｂがいずれの指示マークからも離れた位置に移動すると、一括状態更新部２１により、全ての指示マーク情報のマーク状態が非選択状態に更新される。その結果、指示マークｋ１、ｋ２、ｋ３が淡いグレーの細い点線で、すなわち非着目態様で表示される。
【０１０１】
[変形例４]
本変形例では、マーク状態が、選択状態、非選択状態および選択ロック状態の３種類である場合について説明する。
【０１０２】
図１２は、表示属性記憶部１２に記憶される表示属性のデータ構造の例を示す図である。図１２に示す例では、選択状態および選択ロック状態には、同一の表示属性が対応付けられている。
【０１０３】
本変形例において、新たに指示マークが入力された後、別の指示マークの位置が選択された場合の処理について図１３および図１４を参照しながら説明する。新たに指示マークが入力された後、別の指示マークの位置が選択された場合の処理の流れを示す図が図１３である。この場合の画面表示の遷移を示す図が図１４である。
【０１０４】
図１３に示すように、すでに複数の指示マークｍ２、ｍ３、ｍ４に関する指示マーク情報が、指示マーク記憶部８に記憶されている状態で、新たに指示マークが入力された場合（ステップＳ６１）、まず、一括状態更新部２１によって、全ての指示マーク情報のマーク状態が、非選択状態に更新される（ステップＳ６２）。その後、最新マーク状態更新部２３は、新たに記憶された指示マークｍ１のマーク状態を選択ロック状態に更新する（ステップＳ６３）。
【０１０５】
これにより、図１４（ａ）に示すように、新たに入力された指示マークｍ１の指示マーク情報だけが、選択ロック状態となり、黒く太い実線で、すなわち着目態様で表示される。他の指示マークｍ２、ｍ３、ｍ４の指示マーク情報は、非選択状態なので、淡いグレーの細い点線で表示される。
【０１０６】
選択ロック状態である指示マークｍ１は、以降の処理において、他の指示マークが選択されたとしても、非選択状態に更新されない。指示マークｍ１が非選択状態に更新されるのは、新たに別の指示マークが入力される場合である。
【０１０７】
指示マークｍ１が入力された後、図１４（ｂ）に示すように、説明者によって、スタイラスペン４ｂで他の指示マークｍ３の位置を選択することにより、位置情報が入力される（ステップＳ６４（図１３参照））。
【０１０８】
この場合、一括状態更新部２１が、指示マーク記憶部８に記憶されている指示マーク情報のマーク状態を、非選択状態に更新する（ステップＳ６５）。このとき、一括状態更新部２１が、指示マーク記憶部８に記憶された指示マーク情報のマーク状態を非選択状態に更新する操作は、選択状態である指示マークｍ２、ｍ３、ｍ４の指示マーク情報にのみ適用され、選択ロック状態である指示マークｍ１の指示マーク情報には適用されない。すなわち、選択状態である指示マークｍ２、ｍ３、ｍ４の指示マーク情報だけが、非選択状態に更新され、選択ロック状態である指示マークｍ１の指示マーク情報は、更新されない。
【０１０９】
その後、特定マーク状態更新部２２が、選択された位置にある指示マークｍ３のマーク状態を選択状態に更新する（ステップＳ６６）。その結果、図１４（ｂ）に示すように、指示マークｍ１、ｍ３のみが、黒く太い実線で表示される。
【０１１０】
以上のように、一括状態更新部２１による操作の対象となる指示マーク情報を、マーク状態によって制御することができる。
【０１１１】
（実施の形態２）
図１５は、実施の形態２における情報処理装置の構成を表す機能ブロック図である。図１５において、図２に示す情報処理装置１と同様の部分には、同じ番号を付し、その説明を省略する。
【０１１２】
図１５に示す情報処理装置１０は、指示マーク識別部１３、グループ管理部１５をさらに備える。指示マーク識別部１３は、指示マーク記憶部８に蓄積された指示マーク情報が表す形状を識別して、その形状により１または２以上のマーク種類に分類する。指示マーク識別部１３は、分類したマーク種類を、指示マーク情報ごとに記憶する。
【０１１３】
グループ管理部１５は、指示マーク記憶部８に蓄積された指示マーク情報のグループ化情報を管理する。
【０１１４】
図１６（ａ）は、指示マーク記憶部８に記憶される指示マーク情報のデータ構造の例を示す図である。図１６（ａ）に示す例では、それぞれの指示マーク情報は、マーク種類、マーク状態、座標値の数、座標値を含む。マーク種類の詳細については、後述する。
【０１１５】
また、指示マーク記憶部８は、指示マーク情報をグループ情報に対応付けて記憶する場合がある。図１６（ｂ）は、指示マーク記憶部８で、指示マーク情報がグループ情報と対応して記憶される場合のデータ構造の例を示す図である。図１６（ｂ）に示す指示マーク記憶部８には、指示マーク情報の他に、グループテーブル１４が存在する。グループテーブル１４には、グループに関するデータであるグループｎ１、ｎ２、ｎ３・・・が蓄積されている。指示マーク情報とグループとの間は、相互ポインタによって対応付けられている。これにより、例えば、複数の指示マークが、あるグループに属する場合に、その複数の指示マークの指示マーク情報と、グループ情報とを相互ポインタによって対応付けることができる。
【０１１６】
指示マークのグループは、例えば所定時間以内に連続して入力された一つ以上の指示マークをまとめてグループ化することができる。前記所定時間は、例えば１秒程度にすることができる。これにより、複数の筆画で構成された二重線や二重丸、星印等のような複数の指示マークで構成される図形はまとめて一つのグループとして記憶される。
【０１１７】
図１７は、入力部１７が、新規指示マークを入力する際に、グループと対応付けて記憶する処理の例を示すフローチャートである。図１７に示すように、タブレット装置４から新規指示マークが入力されると（ステップＳ２１）、入力部１７は、その指示マークが最初の指示マークか否か判断する（ステップＳ２２）。入力された指示マークが最初の指示マークである場合（ステップＳ２２でＹＥＳ）、入力部１７は、その指示マークを新しいグループに属する指示マークとして記憶する（ステップＳ２３）。
【０１１８】
入力された指示マークが最初の指示マークでない場合（ステップＳ２２でＮＯ）、入力部１７は、直前の指示マークの入力時から新規入力にかかる指示マークが入力された時までの時間が１秒以内であるか否かを判断する（ステップＳ２４）。その時間が、１秒以内であれば（ステップＳ２４でＹＥＳ）、入力部１７は、新規入力された指示マークを直前に入力された指示マークと同じグループに属するように記憶する（ステップＳ２５）。前記時間が、１秒以内でなければ、入力部１７は、その指示マークを新しいグループに属する指示マークとして記憶する（ステップＳ２３）。
【０１１９】
表示態様制御部９は、グループごとにマーク状態の設定を行う。すなわち、表示態様制御部９は、グループ化した指示マーク情報群をまとめて一つの指示マーク情報として扱う。
【０１２０】
例えば、特定マーク状態更新部２２が、ある特定の指示マーク情報のマーク状態を選択状態に更新する場合、その指示マークが、グループに属しているかどうかを調べる。グループに属していれば、特定マーク状態更新部２２は、同じグループに属する全ての指示マークを選択状態に更新する。特定マーク状態更新部２２が、特定の指示マークを非選択状態に更新する場合も同様に、グループに属する全ての指示マークを非選択状態に更新する。
【０１２１】
これにより、例えば、二重線で書かれた下線のように、複数の指示マークとして入力されたが、同一の注目箇所を指すような指示マーク情報群を、１つの指示マーク情報として扱うことができる。このような指示マーク情報群として、例えば、辺ごとに入力された四角形や、括弧等が挙げられる。このような指示マーク群をグループ化することにより、１つの場所を指示する指示マーク情報として効果的に利用することができる。
【０１２２】
次に、マーク種類について説明する。マーク種類として、例えば、ノーマル指示マーク、強調指示マーク、囲み指示マークがある場合、指示マーク識別部１３は、指示マークがこの３種類のうちいずれに該当するかを識別する。例えば、指示マークが、一重下線の場合はノーマル指示マーク、二重下線の場合は強調指示マーク、囲みサークルの場合は囲み指示マークに分類される。
【０１２３】
次に、指示マーク識別部１３が、指示マークを識別する処理について説明する。図１８は、指示マーク識別部１３が、指示マークを識別する処理の流れを示すフローチャートである。
【０１２４】
まず、指示マーク識別部１３は、識別対象の指示マークが、１画か否かを判断する（ステップＳ７１）。２画以上の指示マークには、１画の指示マークが複数集まって１つのグループに属する場合か、または一つの指示マークが２画以上である場合の２種類がある。指示マーク識別部１３は、識別対象の指示マークが、これらの２種類のうちいずれかに該当するか否かを判断する。識別対象の指示マークが、１画の指示マークが複数集まって１つのグループに属するか否かは、指示マーク記憶部８に記憶されるグループ構成により判断される。一つの指示マークが２画以上であるか否かは、図３および図１６（ａ）に例示する指示マーク記憶部８における指示マークの各座標の状態ｓ中に筆画の終点を示す状態が２つ以上存在するか否かにより判断される。
【０１２５】
指示マークが１画と判断された場合（ステップＳ７１でＹＥＳの場合）、指示マークの形状が、円または楕円に近いか否かの判断される（ステップＳ７２）。指示マークが１画でないと判断された場合（ステップＳ７１でＮＯの場合）、指示マークが、多重線か否か判断される（ステップＳ７５）。
【０１２６】
指示マークが多重線であれば（ステップＳ７５でＹＥＳの場合）、その指示マークは、強調指示マークであると決定される（ステップＳ７６）。指示マークが多重線でなければ（ステップＳ７５でＮＯの場合）、指示マーク識別部１３は、指示マークの形状が円または楕円に近い形状であるか否かを判断する（ステップＳ７２）。
【０１２７】
指示マークの形状が円または楕円に近い形状である場合（ステップＳ７２でＹＥＳの場合）、その指示マークは、囲み指示マークに決定される（ステップＳ７３）。指示マークの形状が円または楕円に近い形状でない場合（ステップＳ７２でＮＯの場合）、その指示マークは、ノーマル指示マークに決定される（ステップＳ７４）。
【０１２８】
ステップＳ７５の多重線か否かを判断において、指示マーク識別部１３は、例えば、１）全ての指示マークが横方向の直線であり、かつ２）全ての指示マークの始点が近傍にあり、かつ３）全ての指示マークの終点が近傍にある場合に、これらの指示マークを多重線であると判断することができる。指示マーク識別部１３は、指示マーク情報に含まれる各座標値に基づいて上記の判断をすることができる。
【０１２９】
ステップＳ７２の判断において、指示マーク識別部１３は、例えば、指示マークが、１）指示マークの始点と終点が近傍にあること、かつ２）指示マークの外接枠の縦横比が０．２〜５の範囲であること、かつ３）指示マークの曲がり方向（右曲がり／左曲がり）が常に同じであることを満たせば、指示マークの形状が円または楕円に近い形状であると判断することができる。
【０１３０】
表示態様制御部９は、指示マークの種類によって、マーク状態を制御する。表示態様制御部９は、指示マークの種類によって、例えば、指示マークの選択または解除の方法等を変更してもよい。
【０１３１】
また、指示マークの種類によって、表示態様を変えることができる。例えば、ノーマル指示マークは、着目態様の場合には赤く表示され、非着目態様の場合には薄いグレーで表示されてもよい。
【０１３２】
また、強調指示マークは、例えば、着目態様の場合には赤くなると共に点滅するよう表示され、非着目態様の場合はノーマル指示マークと同様に表示されてもよい。
【０１３３】
図１９は、囲み指示マークの着目態様の例を示す図である。囲み指示マーク２６は、着目態様の場合には赤く表示されると共に、周囲に薄い黄色で網掛けを伴って表示されてもよい。囲み指示マーク２６に網掛けを表示する領域は、例えば、囲み指示マーク２６を囲む外接枠２５の内側の領域とすることができる。囲み指示マークは、非着目表示の場合にはノーマル指示マークと同様に表示されてもよい。
【０１３４】
（実施の形態３）
図２０は、実施の形態３における情報処理装置の構成を表す機能ブロック図である。図２０において、図２に示す情報処理装置１と同様の部分には、同じ番号を付し、その説明を省略する。
【０１３５】
図２０に示す情報処理装置２０は、資料変更部１６をさらに備える。資料変更部１６は、資料表示部６が表示する資料のうち、指示マーク表示部７が表示する指示マークに対応する部分の表示を、この指示マークに応じて更新する。
【０１３６】
資料変更部１６は、例えば、タブレット装置４で選択された指示マークに対応する資料の部分領域を強調表示にする。資料変更部１６は、タブレット装置４で選択された指示マークが下線であった場合、その下線が示すテキストの色を変えたり、点滅させたりすることができる。資料変更部１６は、資料表示部６による表示を制御することによって、資料の表示を変更してもよいし、資料記憶部１１に記憶されている資料を変更することによって、資料の表示を変更してもよい。
【０１３７】
以上の実施の形態に関し、更に以下の付記を開示する。
（付記１）
表示装置および入力装置に接続され、プレゼンテーションに用いられる情報処理装置であって、
プレゼンテーションに用いられる資料の情報を画像として、前記表示装置へ表示する資料表示部と、
前記入力装置から入力される情報のうち、連続的に入力される一連の位置情報を指示マークとして入力する入力部と、
前記入力部で入力された指示マークを蓄積する指示マーク記憶部と、
前記指示マークの表示態様を表す表示属性が、少なくとも２種類の異なる表示態様について、予め蓄積されている表示属性記憶部と、
前記指示マーク記憶部に蓄積された前記指示マークを、前記表示属性記憶部に蓄積された表示属性が表す前記表示態様のうちいずれかの表示態様で、前記資料とともに前記表示装置へ表示する指示マーク表示部と、
前記入力装置から入力される情報に基づいて、前記指示マークの表示態様を制御する表示態様制御部を備える情報処理装置。
（付記２）
前記表示態様は、目立つように表示する着目態様と目立たないように表示する非着目態様を含む付記１に記載の情報処理装置。
（付記３）
前記表示態様制御部は、前記指示マーク記憶部に蓄積された指示マークのうち、最新の指示マークを着目態様で表示する付記２に記載の情報処理装置。
（付記４）
前記入力部は、前記入力装置からの入力情報が、新規に入力される指示マークであるか、もしくは、すでに前記指示マーク記憶部に蓄積されている指示マークのうちのいずれかを選択するための選択情報であるかを判定して、新規に入力される指示マークであると判定した入力情報を前記指示マーク記憶部に蓄積し、
前記表示態様制御部は、前記入力部が前記入力情報を新規に入力される指示マークであると判定した場合は該新規に入力される指示マークを、前記入力部が前記入力情報を選択情報であると判定した場合は、該選択情報で選択される指示マークを、着目態様で表示する付記２に記載の情報処理装置。
（付記５）
前記表示態様制御部は、着目態様で表示する指示マーク以外の指示マークを非着目態様で表示する付記３または４のいずれか１項に記載の情報処理装置。
（付記６）
前記表示態様は、前記指示マークを見えない状態にする不可視態様を含む付記１に記載の情報処理装置。
（付記７）
前記表示態様は、前記指示マークを目立つように表示する着目態様と、目立たないように表示する非着目態様と、見えない状態にする不可視態様を含み、
前記表示態様制御部は、前記入力装置から入力された位置情報であって、前記画像の一部を指し示す位置情報が、前記指示マーク記憶部に蓄積された指示マークのいずれかに近傍する位置を示す場合には、該対応する指示マークを着目態様で表示して残りの指示マークは不可視態様とし、前記位置情報が、前記指示マーク記憶部に蓄積された指示マークのいずれにも近傍しない位置を示す場合には、全ての指示マークを非着目態様で表示する付記１に記載の情報処理装置。
（付記８）
前記指示マーク記憶部は、１又は複数の前記指示マークをグループ分けして蓄積し、
前記表示態様制御部は、前記グループごとに表示態様を制御する付記１に記載の情報処理装置。
（付記９）
前記指示マーク記憶部に蓄積された指示マークの形状を識別して、前記形状により１または２以上のマーク種類に分類する指示マーク識別部をさらに備え、
前記表示態様制御部は、前記マーク種類ごとに表示態様を制御する付記１に記載の情報処理装置。
（付記１０）
前記資料表示部が表示する資料のうち、前記指示マーク表示部が表示する指示マークに対応する部分の表示を、前記指示マークに応じて変更する資料変更部をさらに備える付記１に記載の情報処理装置。
（付記１１）
表示装置および入力装置に接続されたコンピュータに処理を実行させるプログラムであって、
プレゼンテーションに用いられる資料の情報を画像として、前記表示装置へ表示する資料表示処理と、
前記入力装置から入力される情報のうち、連続的に入力される一連の位置情報を指示マークとして入力し記憶装置へ蓄積する入力処理と、
前記記憶装置に蓄積された前記指示マークを、前記記憶装置に予め蓄積されている前記指示マークの少なくとも２種類の異なる表示態様を表す表示属性のうちいずれかの表示属性に基づいて、前記資料とともに前記表示装置へ表示する指示マーク表示処理と、
前記入力装置から入力される情報に基づいて、前記指示マークの表示態様を制御する表示態様制御処理を前記コンピュータに実行させるプログラム。
（付記１２）
表示装置および入力装置に接続されたコンピュータに処理を実行させるプログラムを記録した記録媒体であって、
プレゼンテーションに用いられる資料の情報を画像として、前記表示装置へ表示する資料表示処理と、
前記入力装置から入力される情報のうち、連続的に入力される一連の位置情報を指示マークとして入力し記憶装置へ蓄積する入力処理と、
前記記憶装置に蓄積された前記指示マークを、前記記憶装置に予め蓄積されている前記指示マークの少なくとも２種類の異なる表示態様を表す表示属性のうちいずれかの表示属性に基づいて、前記資料とともに前記表示装置へ表示する指示マーク表示処理と、
前記入力装置から入力される情報に基づいて、前記指示マークの表示態様を制御する表示態様制御処理を前記コンピュータに実行させるプログラムを記録した記録媒体。
【産業上の利用可能性】
【０１３８】
本発明は、コンピュータを用いて制御される表示画面を聴衆に見せつつ、座標入力手段による表示内容の指示によって聴衆に説明を行うために用いる情報処理装置として有用である。
【図面の簡単な説明】
【０１３９】
【図１】（ａ）および（ｂ）は、情報処理装置が使用される際の機器構成の例を概念的に示す図である。
【図２】情報処理装置１の内部構成を表す機能ブロック図である。
【図３】指示マーク記憶部８に記憶される指示マーク情報のデータ構造の例を示す図である。
【図４】表示属性記憶部１２に記憶される表示属性のデータ構造の例を概念的に示す図である。
【図５】（ａ）は、タブレット装置４で指示マークが入力された直後の画面表示の例を示す図である。（ｂ）は、指示マーク表示（ステップＳ５３）による画面表示の例を示す図である。（ｃ）は、全ての指示マークが非着目態様で表示される場合の画面の例を示す図である。
【図６】プレゼンテーションにおいて、情報処理装置１が行う処理の流れを示すフローチャートである。
【図７】（ａ）は、新規指示マーク入力処理の例を示すフローチャートである。（ｂ）は、位置選択処理の例を示すフローチャートである。
【図８】（ａ）、（ｂ）、（ｃ）、（ｄ）は、図６、７、８に示す情報処理装置１における動作により実現する画面表示の一例を示す図である。
【図９】（ａ）、（ｂ）は、画面下部に設けられたボタンを選択することにより指示マークが選択される場合における画面表示の例を示す。
【図１０】表示属性記憶部１２に記憶される表示属性のデータ構造の例を示す図である。
【図１１】（ａ）、（ｂ）、（ｃ）、（ｄ）は、選択状態、非選択状態および不可視状態の３種類である場合の画面表示の一例を示す図である。
【図１２】表示属性記憶部１２に記憶される表示属性のデータ構造の例を示す図である。
【図１３】新たに指示マークが入力された後、別の指示マークが選択された場合の処理の流れを示す図である。
【図１４】新たに指示マークが入力された後、別の指示マークが選択された場合の画面表示の遷移を表す図である。
【図１５】情報処理装置１０の構成を表す機能ブロック図である。
【図１６】（ａ）は、指示マーク記憶部８に記憶される指示マーク情報のデータ構造の例を示す図である。（ｂ）は、指示マーク記憶部８で、指示マーク情報がグループと対応して記憶される場合のデータ構造の例を示す図である。
【図１７】入力部１７が、新規指示マークを入力する際に、グループと対応付けて記憶する処理の例を示すフローチャートである。
【図１８】指示マーク識別部１３が、指示マークを識別する処理の流れを示すフローチャートである。
【図１９】囲み指示マークの着目態様の例を示す図である。
【図２０】情報処理装置２０の構成を表す機能ブロック図である。
【図２１】（ａ）は、コンピュータを用いたプレゼンテーションを行うための機器構成の例を示す図である。（ｂ）は、コンピュータ８３によって出力される画面上に書き込まれたマークが、着目箇所を示す場合の画面の例である。
【図２２】コンピュータ８３の構成を示す機能ブロック図である。
【符号の説明】
【０１４０】
１、１０、２０    情報処理装置
２        プロジェクタ
３        スクリーン
４        タブレット装置
４ａ      タブレット
４ｂ      スタイラスペン
６        資料表示部
７        指示マーク表示部
８        指示マーク記憶部
９        表示態様制御部
１１      資料記憶部
１２      表示属性記憶部
１３      指示マーク識別部
１４      グループテーブル
１５      グループ管理部
１６      資料変更部
２１      一括状態更新部
２２      特定マーク状態更新部
２３      最新マーク状態更新部
２４      大画面ディスプレイ
２５      外接枠
２６      囲み指示マーク
８２      スクリーン
８３      コンピュータ
８４      座標入力装置
８４ａ    タブレット
８４ｂ    スタイラスペン
８５      プロジェクタ
９２      説明資料表示部
９３      指示マーク表示部
９４      指示マーク記憶部
【図１】
2006331119.tif 000003
【図２】
2006331119.tif 000004
【図３】
2006331119.tif 000005
【図４】
2006331119.tif 000006
【図５】
2006331119.tif 000007
【図６】
2006331119.tif 000008
【図７】
2006331119.tif 000009
【図８】
2006331119.tif 000010
【図９】
2006331119.tif 000011
【図１０】
2006331119.tif 000012
【図１１】
2006331119.tif 000013
【図１２】
2006331119.tif 000014
【図１３】
2006331119.tif 000015
【図１４】
2006331119.tif 000016
【図１５】
2006331119.tif 000017
【図１６】
2006331119.tif 000018
【図１７】
2006331119.tif 000019
【図１８】
2006331119.tif 000020
【図１９】
2006331119.tif 000021
【図２０】
2006331119.tif 000022
【図２１】
2006331119.tif 000023
【図２２】
2006331119.tif 000024